(57)【要約】    【構成】デジタルカメラ１０は、デルタ配列のＬＣＤモニタ２６を含む。ストライプ配列されたＲＧＢ形式の画像データに基づいて画像が表示される場合に、変換回路２２には、Ｒ，ＧおよびＢの色値のデータが入力される。変換回路２２では、データ補間回路５０で、横方向に隣接する画素の色値を加重平均して色値を算出し、データ並び替え５２では、算出された各色値をデルタ配列に対応するように並び替える。そして、ＬＣＤドライバ２４では、デルタ配列に対応するように並び替えられた色値に基づいて、画像を表示させる。    【効果】表示される画像信号の各画素が、加重平均されて並び替えられるため、デジタルカメラ１０は、画質を低下させずに、ストライプ配列のＲＧＢ画像信号をデルタ配列のＬＣＤモニタ２６に表示させることができる。【選択図】図１
2010210704.tif 000002
【特許請求の範囲】
【請求項１】
複数の画素から構成される画像を表示するデルタ配列の表示装置、
前記複数の画素のうち、横方向に隣接する画素の色値の重みを変えて表示用の色値をそれぞれ算出する算出手段、
前記算出手段によって算出された前記表示用の色値を、前記デルタ配列に対応するように並び替える並び替え手段、および
前記並び替え手段によって並び替えられた前記表示用の色値に基づいて、前記画像を前記表示装置に表示させる表示手段を備える、画像表示装置。
【請求項２】
前記複数の画素は、奇数行と偶数行とから構成されており、
前記算出手段は、前記奇数行では前記隣接する画素のうち後の画素の重みを前の画素の重みより大きくし、前記偶数行では前記隣接する画素のうち前の画素の重みを後の画素の重みより大きくして算出する、請求項１記載の画像表示装置。
【発明の詳細な説明】
【技術分野】
【０００１】
この発明は、画像表示装置に関し、特にたとえばＬＣＤモニタによって画像を表示する、画像表示装置に関する。
【背景技術】
【０００２】
従来、特にたとえばＬＣＤモニタによって画像を表示する、画像表示装置が知られており、この種の装置の一例が、特許文献１に開示されている。この背景技術のマトリクス型液晶表示パネル駆動装置では、縦ストライプ配列ＲＧＢデータを、デルタ画素配列を有する液晶表示パネルに表示する際に、縦方向（Ｖ方向）の２ライン分にＲＧＢデータを展開して割り付けることで画面表示を行う。これにより、この駆動装置は、本来のアスペクト比で画面表示を行うことができる。
【特許文献１】特開２０００−１２２０３０［G02F 1/133, G09G 3/20, G09G 3/36］
【発明の概要】
【発明が解決しようとする課題】
【０００３】
しかし、特許文献１におけるマトリクス型液晶表示パネル駆動装置では、縦方向の２ライン分に割り付けるので、表示画像の画質が劣化する。
【０００４】
それゆえに、この発明の主たる目的は、新規な、画像表示装置を提供することである。
【０００５】
この発明の他の目的は、デルタ配列のＬＣＤモニタで、画質の低下が生じない表示ができる、画像表示装置を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、複数の画素から構成される画像を表示するデルタ配列の表示装置、複数の画素のうち、横方向に隣接する画素の色値の重みを変えて表示用の色値をそれぞれ算出する算出手段、算出手段によって算出された表示用の色値を、デルタ配列に対応するように並び替える並び替え手段、および並び替え手段によって並び替えられた表示用の色値に基づいて、画像を表示装置に表示させる表示手段を備える、画像表示装置である。
【０００８】
第１の発明では、画像表示装置（１０）は、たとえばデジタルカメラであり、表示装置（２６）を備える。この表示装置は、たとえば表示素子がデルタ配列のＬＣＤモニタなどである。算出手段（５０）は、たとえばストライプ配列されたＲＧＢ形式の画像信号を、ＬＣＤモニタのデルタ配列に対応させるために、横方向に隣接する画素の色値の重みを変えて平均（加重平均）して色値を算出する。また、並び替え手段（５２）は、算出された各色値を、デルタ配列の表示素子のそれぞれに対応するように、並び替える。そして、表示手段（２４）は、表示装置を駆動させるたとえばＬＣＤドライバなどであり、デルタ配列に対応するように並び替えられた色値に基づいて、画像を表示させる。
【０００９】
第１の発明によれば、表示される画像信号の各画素が、加重平均されて並び替えられるため、画質を低下させずに、たとえばストライプ配列のＲＧＢ画像信号をデルタ配列のＬＣＤモニタに表示させることができる。
【００１０】
第２の発明は、第１の発明に従属し、複数の画素は、奇数行と偶数行とから構成されており、算出手段は、奇数行では隣接する画素のうち後の画素の重みを前の画素の重みより大きくし、偶数行では隣接する画素のうち前の画素の重みを後の画素の重みより大きくして算出する。
【００１１】
第２の発明では、ＬＣＤモニタの表示素子では、偶数行が奇数行に対して左方向に１／２素子分ずれているため、奇数行では後の画素（Ｒｏ２）の重みを前の画素（Ｒｏ１）の重みより大きくし、偶数行では隣接する画素のうち前の画素（Ｇｅ１）の重みを後の画素（Ｇｅ２）の画素の重みより大きくする。
【００１２】
第２の発明によれば、画像信号の奇数行および偶数行が共に適切に加重平均されるため、並び替え後の色値がデルタ配列の奇数行と偶数行とのズレにうまく対応する。
【発明の効果】
【００１３】
この発明によれば、隣接する画素の色値から重みを変えて平均（加重平均）した色値をデルタ配列のＬＣＤモニタに対応するように変換するようにしたため、画質を低下させずに、たとえばストライプ配列のＲＧＢ画像信号をデルタ配列のＬＣＤモニタに表示させることができる。
【００１４】
この発明の上述の目的、その他の目的、特徴および利点は、図面を参照して行う以下の実施例の詳細な説明から一層明らかとなろう。
【図面の簡単な説明】
【００１５】
【図１】図１は本発明の一実施例であるデジタルカメラを示すブロック図である。
【図２】図２は図１に示すＬＣＤモニタにおける表示素子の配列の一部を示す図解図である。
【図３】図３は図１に示す変換回路の構成およびその変換回路の周辺部を示す図解図である。
【図４】図４は図３に示すメモリ制御回路から出力されるＲＧＢ形式の画像データの構成の一例を示す図解図である。
【図５】図５は図３に示すデータ補間回路によるデータ補間の一例を示す図解図である。
【図６】図６は図２に示す表示素子の重心位置を示す図解図である。
【図７】図７は図３に示すデータ並び替え回路による並び替えの一例を示す図解図である。
【発明を実施するための形態】
【００１６】
図１を参照して、この実施例のデジタルカメラ１０はイメージセンサ１２を含む。被写界の光学像は、イメージセンサ１２に照射される。イメージセンサ１２の撮像エリア１２ｆには、たとえば１６００×１２００画素に対応する受光素子が配置されており、撮像エリア１２ｆでは、光電変換によって、被写界の光学像に対応する電荷つまり１６００×１２００画素の生画像信号が生成される。
【００１７】
デジタルカメラ１０の電源が投入されると、被写体のリアルタイム動画像つまりスルー画像を表示装置であるＬＣＤモニタ２６に表示するべく、ＣＰＵ３０は、プリ露光および間引き読み出しの繰り返しをイメージセンサ１２に命令する。イメージセンサ１２は、プリ露光とこれによって生成された生画像信号の間引き読み出しとを、１／３０秒毎に発生する垂直方向の同期信号（Ｖｓｙｎｃ）に応答して繰り返し実行する。イメージセンサ１２からは、被写界の光学像に対応する低解像度たとえば３２０×２４０画素の生画像信号が３０ｆｐｓで出力される。
【００１８】
たとえば、出力された生画像信号は、カメラ処理回路１４によってＡ／Ｄ変換および色分離の処理などが施され、ＲＧＢ形式の画像データを作成し、そのＲＧＢ形式の画像データは、ＹＵＶ形式の画像データに変換される。作成されたＹＵＶ形式の画像データは、そのままの形式でメモリ制御回路１８によってＳＤＲＡＭ２０に書き込まれ、さらにメモリ制御回路１８が備えるマトリクス回路によって、ストライプ配列されたＲＧＢ形式の画像データに変換された後に、もう一度ＳＤＲＡＭ２０に書き込まれる。
【００１９】
その後、同じメモリ制御回路１８によってストライプ配列されたＲＧＢ形式の画像データが読み出され、その読み出されたＲＧＢ形式の画像データは変換回路２２でデルタ配列されたＲＧＢ形式の画像データに変換される。表示手段として機能するＬＣＤドライバ２４は、デルタ配列に変換されたＲＧＢ形式の画像データが入力されると、ＬＣＤモニタ２６を駆動する。この結果、被写界のスルー画像がＬＣＤモニタ２６に表示される。
【００２０】
なお、画像データを構成する複数の画素のそれぞれは、Ｒ（赤），Ｇ（緑）およびＢ（青）の３つの色素レベル（色値）を含む。３つの色素レベルの各々は８ビット（０〜２５５）で表現され、このため画像データによって表現される色の数は１６，７７７，２１６色となる。
【００２１】
また、キー入力装置２８によってシャッタ操作が行われると、ＣＰＵ３０は、本撮影処理を実行し、イメージセンサ１２から出力される１６００×１２００画素の生画像信号に所定の信号処理を施して、ＳＤＲＡＭ２０に一旦格納し、メモリカード３４に対する記録処理をＩ／Ｆ３２に命令する。Ｉ／Ｆ３２は、バス１６およびメモリ制御回路１８を通してＳＤＲＡＭ２０から画像データを読み出し、読み出された画像データを含む画像ファイルとしてメモリカード３４に記録する。なお、メモリカード３４は着脱自在であり、スロット（図示せず）に装着されたときにＩ／Ｆ３２によってアクセス可能となる。
【００２２】
なお、ＣＰＵ３０は、メモリ制御回路１８および変換回路２２の動作を同期させて、ＲＧＢ形式の画像データを、後述するデルタ配列の画像データに変換する。また、フラッシュメモリ３６には、デジタルカメラ１０を動作させるために必要なプログラムが記録されており、プログラムは必要に応じて部分的にかつ順次的に読み出され、ＣＰＵ３０によって処理される。
【００２３】
図２は、本実施例におけるデルタ配列のＬＣＤモニタ２６の表示画面を拡大した図解図である。図２を参照して、ＬＣＤモニタ２６の表示画面には、多数の表示素子が配置されており、奇数行（Ｏｄｄ  Ｌｉｎｅ）および偶数行（Ｅｖｅｎ  Ｌｉｎｅ）とから構成されている。また、ＬＣＤモニタ２６の表示画面には、赤色の光成分を透過する特性を有するＲ色フィルタ、緑色の光成分を透過する特性を有するＧ色フィルタまたは青色の光成分を透過する特性を有するＢ色フィルタが形成されている。そして、図２では、Ｒ色フィルタが形成されている表示素子に「Ｒ」の文字が付され、Ｇ色フィルタが形成されている表示素子に「Ｇ」の文字が付され、Ｂ色フィルタが形成されている表示素子に「Ｂ」の文字が付されている。
【００２４】
なお、本実施例では、Ｒ色フィルタが形成された表示素子をＲ表示素子、Ｇ色フィルタが形成された表示素子をＧ表示素子およびＢ色フィルタが形成された表示素子をＢ表示素子とそれぞれ定義する。
【００２５】
たとえば、１行目の奇数行の左端は、Ｒ表示素子が配置され、奇数行と同様に、ＲＧＢの順番で各表示素子が繰り返し配置される。また、２行目の偶数行の左端は、Ｇ表示素子が配置され、右方向にＢ、Ｒの順番で表示素子が配置され、以降Ｇ，ＢおよびＲの順番で各表示素子が繰り返し配置される。そして、３行目以降は、１行目と２行目とを繰り返して表示素子が配置される。
【００２６】
そして、偶数行は、奇数行に対して左方向に、１／２素子分シフトしており、１画素は斜線で塗りつぶされたＲ，ＧおよびＢの文字が付される３つの表示素子で表現され、ＲＧＢの各表示素子はデルタ配列される。
【００２７】
なお、撮像エリア１２ｆに配置される受光素子にも、ＬＣＤモニタ２６の表示素子と同様に、Ｒ色フィルタ、Ｇ色フィルタおよびＢ色フィルタがそれぞれ形成される。
【００２８】
ここで、ＳＤＲＡＭ２０に記録されている、ストライプ配列されたＲＧＢ形式の画像データを、そのままデルタ配列のＬＣＤモニタ２６に表示すると、画像信号の配置が異なるため、画質が劣化してしまう。そこで、本実施例では、変換回路２２にてストライプ配列されたＲＧＢ形式の画像データを、デルタ配列のＬＣＤモニタ２６に対応させる変換を行った後、ＬＣＤモニタ２６に表示する。
【００２９】
図３を参照して、ＣＰＵ３０は、ＬＣＤモニタ２６に画像を表示させる際、ＲＧＢ形式の画像データ読み出す読出指示をメモリ制御回路１８に指示すると共に、信号発生器３６にＳｙｎｃ信号を発信させる。メモリ制御回路１８は、読出指示およびＳｙｎｃ信号を受けると、ＳＤＲＡＭ２０上に存在するＲＧＢ形式の画像データを示すメモリアドレスを設定する。メモリ制御回路１８はメモリアドレスに基づいて、ＲＧＢ形式の画像データを、バス１６を介して変換回路２２に出力する。
【００３０】
図４（Ａ）、図４（Ｂ）に示すように、ＲＧＢ形式の画像データは、ストライプ配列のＲＧＢ画像信号から構成される。奇数行のＲＧＢ画像信号は、Ｒｏの画像信号、Ｇｏの画像信号およびＢｏ画像信号から構成されており、左から順番に、撮影された画像の左上を起点とし、奇数行のラスタスキャン方向（右方向）に対応する。
【００３１】
一方、偶数行のＲＧＢ画像信号は、Ｒｅの画像信号、Ｇｅの画像信号およびＢｅの画像信号から構成されており、撮影された画像の左上を起点とし、偶数行のラスタスキャン方向に対応する。
【００３２】
図３に戻って、変換回路２２は、算出手段として機能するデータ補間回路５０および並び替え手段として機能するデータ並び替え回路５２を含み、各画像信号はデータ補間回路５０に入力される。データ補間回路５０は、Ｓｙｎｃ信号が入力されると、メモリ制御回路１８の動作に同期して、横方向に隣接する画素において各々の画素の色値の重みを変えて加算することによってＲ，ＧおよびＢの色値をそれぞれ算出する。また、データ補間回路５０は入力されたＳｙｎｃ信号と共に、算出したＲ，ＧおよびＢの色値をデータ並び替え回路５２に出力する。つまり、データ補間回路５０では、２画素分の各ＲＧＢの色値を利用して、１画素分の色値を計算する。
【００３３】
たとえば、データ補間回路５０は、図５（Ａ）、図５（Ｂ）に示すように、奇数行および偶数行の各色値から、デルタ配列の奇数行の色値および偶数行の色値を算出する。図５（Ａ）を参照して、ストライプ配列の信号画素Ｒｏ１に対応する、デルタ配列の表示画素ＲＯ１の配置は、ストライプ配列の信号画素Ｒｏ１に対して１／３だけ重なる位置に配置され、さらにストライプ配列の信号画素Ｒｏ２に対して２／３だけ重なる位置に配置される。
【００３４】
このようなデルタ配列においては、図６（Ａ）に示すように、表示画素ＲＯ１の重心点Ｔ１は、ストライプ配列の信号画素Ｒｏ２に寄っているため、信号画素Ｒｏ１および信号画素Ｒｏ２を単純平均して算出される重心点Ｔ２とは一致しない。つまり、信号画素Ｒｏ１と信号画素Ｒｏ２との色値を単純平均した値を表示画素ＲＯ１の色値とした場合には、信号画素Ｒｏ１の赤色が強く再現されてしまう。したがって、この実施例では、数１に示す式に基づいて両者を加重平均し、表示画素ＲＯ１のための色値を算出する。この数１は、奇数行では隣接する画素のうち、後の画素の重みを前の画素の重みより大きくして算出することを示している。また、便宜上、数１および後述する数２では共に、画素を示す参照符号を当該画素の色値を示す記号として使用している。
【００３５】
【数１】
2010210704.tif 000003
【００３６】
たとえば、信号画素Ｒｏ１の色値が１５０であり、信号画素Ｒｏ２の色値が１２０であれば、ＲＯ１の色値は１３０となる。
【００３７】
一方、図５（Ｂ）を参照して、ストライプ配列の信号画素Ｇｅ１に対応するデルタ配列の表示画素ＧＥ１の配置は、ストライプ配列の信号画素Ｇｅ１に対して２／３だけ重なる位置に配置され、さらにストライプ配列の信号画素Ｇｅ２に対して１／３だけ重なる位置に配置される。
【００３８】
ここで、奇数行と同様、図６（Ｂ）に示すように、表示画素ＧＥ１の重心点Ｓ１は、画像信号Ｇｅ１および画像信号Ｇｅ２を単純平均して算出される重心点Ｓ２とは一致しない。偶数行では、信号画素Ｇｅ１と信号画素Ｇｅ２との色値を単純平均した値を表示画素ＧＥ１の色値とした場合には、信号画素Ｇｅ２の緑色が強く再現されてしまう。したがって、この実施例では、奇数行と同様に、数２に示す式に基づいて両者を加重平均し、表示画素ＧＥ１のための色値を算出する。この数２は、偶数行では隣接する画素のうち、前の画素の重みを後の画素の重みより大きくして算出することを示している。
【００３９】
【数２】
2010210704.tif 000004
【００４０】
たとえば、信号画素Ｇｅ１の色値が１５０であり、信号画素Ｇｅ２の色値が１２０であれば、表示画素ＧＥ１の色値は１４０となる。
【００４１】
図３に戻って、データ並び替え回路５２は、このように算出されたＲ，ＧおよびＢの色値を、デルタ配列のＬＣＤモニタ２６と対応するように並び替えて、入力されたＳｙｎｃ信号と共に、ＬＣＤドライバ２４に出力する。つまり、データ並び替え回路５２は、算出された色値をデルタ配列となるように並び替える。そして、ＬＣＤドライバ２４は、データ並び替え回路５２によって並び替えられた色値に基づいて、画像をＬＣＤモニタ２６に表示させる。
【００４２】
具体的には、図７を参照して、奇数行は表示画素ＲＯ１，ＧＯ１，ＢＯ１およびＲＯ２となるように並べられ、偶数行は表示画素ＧＥ１，ＢＥ１，ＲＥ１およびＧＥ２となるように並べられる。そして、奇数行における左端の表示画素ＲＯ１には、図４（Ａ）に示す信号画素Ｒｏ１および信号画素Ｒｏ２の色値を加重平均した色値が設定される。また、表示画素ＧＯ１には信号画素Ｇｏ２および信号画素Ｇｏ３の色値を加重平均した色値が設定され、表示画素ＢＯ１には画像信号Ｂｏ３および画像信号Ｂｏ４の色値を加重平均した色値が設定される。さらに、表示画素ＲＯ２には、画像信号Ｒｏ４と画像信号Ｒｏ５の色値を加重平均した色値が設定される。
【００４３】
一方、偶数行における左端の表示画素ＧＥ１には、図４（Ｂ）に示す信号画素Ｇｅ１および信号画素Ｇｅ２の色値を加重平均した色値が設定される。また、奇数行と同様に、表示画素ＢＥ１には信号画素Ｂｅ２および信号画素Ｂｅ３の色値を加重平均した色値が設定され、表示画素ＲＥ１には信号画素Ｒｅ３および信号画素Ｒｅ４の色値を加重平均した色値が設定される。さらに、表示画素ＧＥ２には、信号画素Ｇｅ４および信号画素Ｇｅ５の色値を加重平均した色値が設定される。
【００４４】
以上の説明から分かるように、デジタルカメラ１０は、デルタ配列のＬＣＤモニタ２６を含み、イメージセンサ１２およびカメラ処理回路１４によって生成されたＲＧＢ形式の画像データは、メモリ制御回路１８によってＳＤＲＡＭ２０に記憶される。また、ＬＣＤモニタ２６で画像を表示する場合には、変換回路２２にＲ，ＧおよびＢの色値のデータが入力される。変換回路２２では、データ補間回路５０で、ラスタスキャンを行う横方向に隣接する画素の色値の重みを変えて色値を算出し、データ並び替え５２では、算出された各色値を、デルタ配列に対応するように並び替える。そして、ＬＣＤドライバ２４では、デルタ配列に対応するように並び替えられた色値に基づいて、画像を表示させる。
【００４５】
このように、表示される画像信号の各画素が、加重平均されて並び替えられるため、デジタルカメラ１０は、画質を低下させずに、ストライプ配列のＲＧＢ画像信号をデルタ配列のＬＣＤモニタ２６に表示させることができる。
【００４６】
また、画像信号の奇数行および偶数行が共に適切に加重平均されるため、並び替え後の色値がデルタ配列の奇数行と偶数行とのズレにうまく対応する。
【００４７】
さらに、従来は、デルタ配列のＬＣＤモニタ２６にストライプ配列されたＲＧＢ形式の画像データを表示する際には、ＲＧＢ画像信号を間引かなければならなかったため、ＳＤＲＡＭ２０からＲＧＢ画像信号を読み出すデータレートがＬＣＤモニタ２６に出力するデータレートの２倍になっていた。ところが、本実施例のように、ＲＧＢ画像信号を加重平均することで、ＳＤＲＡＭ２０からＲＧＢ画像信号を読み出すデータレートと、ＬＣＤモニタ２６に出力するデータレートとを同じ値にすることができる。これにより、本実施例のデジタルカメラ１０では、従来に比べて、消費電力を抑えることができる。
【００４８】
なお、変換回路２２では、スルー画像だけに限らず、静止画像や動画画像などの再生画像を含め、デルタ配列のＬＣＤモニタ２６に表示される画像を変換することができる。つまり、表示すべき画像はカメラで撮影した画像に限るものではない。
【００４９】
また、本実施例では、ＹＵＶ形式の画像データをマトリクス回路にてＲＧＢ形式の画像データに変換した後、ＳＤＲＡＭ２０に書き込んだが、マトリクス回路とバス１６との間にメモリラインを設けて、ＲＧＢ形式の画像データをＳＤＲＡＭ２０に書き込み、データ補間回路５０に入力するようにしてもよい。
【００５０】
また、デジタルカメラ１０のみに限らず、カメラ機能を備える携帯電話、Ｗｅｂカメラを備えるノートＰＣやＰＤＡ（Ｐｅｒｓｏｎａｌ  Ｄｅｇｉｔａｌ  Ａｓｓｉｓｔａｎｔ）などの携帯情報端末であってもよい。さらに、カメラを備えないポータブルＤＶＤプレイヤなどの動画を再生可能な携帯型の画像表示装置であってもよいし、動画データをネットワーク経由で取得可能な携帯電話や、携帯情報端末であってもよい。
【符号の説明】
【００５１】
１０    …  デジタルカメラ
１２    …  イメージセンサ
１２ｆ    …  撮像エリア
１４    …  カメラ処理回路
１８    …  メモリ制御回路
２０    …  ＳＤＲＡＭ
２２    …  変換回路
２４    …  ＬＣＤドライバ
２６    …  ＬＣＤモニタ
３０    …  ＣＰＵ
５０    …  データ補間回路
５２    …  データ並び替え回路
【図１】
2010210704.tif 000005
【図２】
2010210704.tif 000006
【図３】
2010210704.tif 000007
【図４】
2010210704.tif 000008
【図５】
2010210704.tif 000009
【図６】
2010210704.tif 000010
【図７】
2010210704.tif 000011